(57)【特許請求の範囲】
【請求項１】
時間帯別電灯契約用回路を含む住宅用分電盤の前記時間帯別電灯契約用回路に用いられる回路遮断器に接続される端子台の構造であって、該端子台は前記回路遮断器への入線端子部と、前記回路遮断器から主幹ブレーカへ送られる送り用端子部とで構成され、前記回路用遮断器への入線端子部に対して送り用端子部を略直角の位置に設けると共に各相それぞれに段差をつけ、前記入線端子部から前記送り用端子部へは導電バー等で接続し、前記入線端子部への入線と前記送り用端子部への送り線とが重ならないようにしたことを特徴とする住宅用分電盤の端子台の構造。
【請求項２】
前記回路遮断器の端子台の構造であって、前記送り用端子部の各相それぞれに段差をつけ、前記送り用端子に接続される前記送り線が配線しやすくすること特徴とする請求項１に記載の端子台の構造。
【発明の詳細な説明】
【技術分野】
【０００１】
本発明は、時間帯別電灯契約用回路を含む住宅用分電盤の前記時間帯別電灯契約用回路に用いられる回路遮断器に接続される端子台の構造に関するものである。
【背景技術】
【０００２】
従来、時間帯別用分電盤３１に用いられる回路遮断器３２から端子台３３を介して主幹ブレーカに送られる。回路遮断器３２の近傍に端子台３３が配置していた。端子台３３には入線端子部３３ａと送り用端子部３３ｂが設けられ、入線端子部３３ａと送り用端子部３３ｂは同一直線状に配置し、導電バー３４で接続し、送り用端子部からはケーブル３５等で主幹ブレーカへ送られていた。分電盤３１の外部から引き込まれた電線と回路遮断器３２から主幹ブレーカへ送られるケーブル３５とが配線用スペースＢの部分に収納される。また配線スペースＣの部分では送り用のケーブル３５が３本重なり収納されていた。
【０００３】
また、入線端子部や送り用端子部はそれぞれ同一の高さのところに設けられていた。
【非特許文献１】２００５カワムラ総合カタログ電設資材編  平成１７年５月１日発行
【発明の開示】
【発明が解決しようとする課題】
【０００４】
しかしながら上記従来技術における回路遮断器の端子部構造では、同じ高さのところから同じ方向へ入線されるため、送り電線と入線が重なり、入線施工がしにくいものとなっていた。
【０００５】
また、送り電線のＲ相、Ｓ相、Ｔ相に接続されているものがそれぞれ重なり、送り電線の施工もしにくいものとなっていた。
【課題を解決するための手段】
【０００６】
そこで本発明は、簡単な構造で入線部の配線用スペースを十分に確保し、施工性が向上する回路遮断器の端子部構造を提供することを目的とし、その構造は、端子台は回路遮断器への入線端子部と、回路遮断器から主幹ブレーカへ送られる送り用端子部とで構成され、回路用遮断器への入線端子部に対して送り用端子部を略直角の位置に設けると共に各相それぞれに段差をつけ、入線端子から送り用端子部へは導電バー等で接続し、入線端子部への入線と送り用端子部への送り線とが重ならないようにしたことを特徴とする。
【発明の効果】
【０００７】
本発明に係る回路遮断器の端子台構造は、端子台は回路遮断器への入線端子部と、回路遮断器から主幹ブレーカへ送られる送り用端子部とで構成され、回路用遮断器への入線端子部に対して送り用端子部を略直角の位置に設け、入線端子部から送り用端子部へは導電バー等で接続し、入線端子部への入線と送り用端子部への送り線とが重ならないようにしたため、入線部の配線用スペースを広く確保できるので、施工性を向上させることができる。配線用スペースが広く確保できることにより確実に端子部のねじ締めが行えるので誤った配線による事故が防止でき、安全な分電盤が提供できる。
【０００８】
また、送り用端子には各相それぞれに段差をつけ、送り用端子に接続される送り線が配線しやすくするため、入線部の配線用スペースを広く確保できるので、施工性を向上させることができる。配線用スペースが広く確保できることにより確実に端子部のねじ締めが行えるので誤った配線による事故が防止でき、安全な分電盤が提供できる。
【発明を実施するための最良の形態】
【０００９】
施工性を向上させるという目的を、最小の部品点数で、安全性を損なわずに実現した。
【実施例１】
【００１０】
本発明に係る回路遮断器の端子部構造の実施例を図１ 〜 図３ の添付図面に基づいて説明する。
【００１１】
住宅用分電盤１は基台２に主幹ブレーカ３や分岐ブレーカ４等の電気機器を配置して構成される。時間帯により電気料金が異なる契約の家庭に使用される時間帯別電灯契約専用型住宅用分電盤１では、時間帯別電灯契約がされる回路を動作させる回路遮断器５も同じ基台２に配置することが可能である。時間帯別電灯契約住宅用分電盤１において時間帯別電灯契約の回路と接続される回路遮断器５から端子台６を介して主幹ブレーカ３へ送られる。
【００１２】
時間帯別電灯契約の回路を動作させる回路遮断器５の端子部５ａ近傍に端子台６は配置される。端子台６は回路遮断器５へ入線するための入線端子部６ａと、回路遮断器５から主幹ブレーカ３へ送られる送り用端子部６ｂとから構成され、入線端子部６ａを回路遮断器５の端子部５ａに対向させて端子台６を配置する。入線端子部６ａに対して送り用端子部６ｂは略直角に配置すると共に各相それぞれに段差をつける。入線端子部６ａと送り用端子部６ｂ間は略直角に形成された導電バー７で接続される。
【００１３】
住宅用分電盤１の外側から引き込まれた電線は端子台６の入線端子部６ａに固定され、回路遮断器５へ入線される。入線端子部６ａは導電バー７で送り用端子部６ｂと接続されていて、送り用端子部６ｂには送り線８を接続し、送り線８で主幹ブレーカ３へ送る。
【００１４】
回路遮断器５の端子部５ａと端子台６の入線端子部６ａ、送り用端子部６ｂはそれぞれの相を対向させて接続される。そのため、従来の端子台６の構造では住宅用分電盤１の外部から引き込まれる電線と端子台６から主幹ブレーカ３へ送られる電線等が重なり合い、配線作業が困難であったが、本発明では、入線端子部６ａから回路遮断器５への入線と送り用端子部６ｂから出線される電線とは重ならないので、回路遮断器５近傍に配線用スペースＡを広く確保でき、作業がしやすくなる。
【００１５】
送り用端子部にはＲ相、Ｔ相、Ｓ相各相それぞれに段差をつける。図３に示すように、送り用端子部６ｂから主幹ブレーカ２へ電線を接続する時、高さ方向に電線を重ねるため、送り用端子部６ｂからの出線が小面積で収まる。また、段差がついていることで、送り用端子部６ｂの接続作業がしやすくなる。
【産業上の利用可能性】
【００１６】
送り端子台の入線端子部と送り用端子部を略直角に配置したことで入線端子部の入出線と、送り端子部からの出線が同じ位置で重なることがなく、配線スペースが広く確保でき、住宅用分電盤の設置場所が天井の直下など、手の入れにくい場所での作業の効率をあげることもできる。
【図面の簡単な説明】
【００１７】
【図１】本発明に係る住宅用分電盤を示す説明図である。（実施例１）
【図２】本発明に係る住宅用分電盤の要部説明図である。（実施例１）
【図３】本発明に係る端子台を示す説明図である。（実施例２）
【図４】住宅用分電盤の従来例要部を示した説明図である。
【符号の説明】
【００１８】
１     住宅用分電盤
２     基台
３     主幹ブレーカ
４     分岐ブレーカ
５     回路遮断器
５ａ   端子部
６     端子台
６ａ   入線端子部
６ｂ   送り用端子部
７     導電バー
８     送り線
【図１】
0004691403.tif 000002
【図２】
0004691403.tif 000003
【図３】
0004691403.tif 000004
【図４】
0004691403.tif 000005